(57)【要約】【課題】球が球発射通路から遊技領域に適切に発射できるように図る。【解決手段】球が球戻り防止弁２５を球発射通路１８から遊技領域１９の側に押し開けて発射された場合、当該球よりも前の時点に副防止弁３１を通過して遊技領域１９に発射された球が遊技領域１９から球戻り防止弁２５の側に跳ね返され、この跳ね返された球が上記球戻り防止弁２５を押し開けている球または球戻り防止弁２５に衝突しても、当該球戻り防止弁２５を押し開けている球が球発射通路１８に取り込まれることがなく球排出空間３２から遊技領域１９に排出されることによって、球戻り防止弁２５を押し開けている球が球発射通路１８を下方に向けて落下するという不都合を解消することができる。【選択図】図１
2006122559.tif 000002
【特許請求の範囲】
【請求項１】
遊技盤の前面に、内ガイドレールと外ガイドレールとで囲まれた内側の遊技領域と、内ガイドレールと外ガイドレールとの間の隙間として形成された球発射通路と、球発射通路から遊技領域に向けて発射される球により押し開けられた後に弾性で球発射通路を塞ぐように戻る球戻り防止弁と、球戻り防止弁を押し開けて通過した球により押し開けられた後に弾性で外ガイドレールの側に戻ることによって遊技領域から球戻り防止弁の側に跳ね返された球を遊技領域の側に跳ね返す副防止弁と、球戻り防止弁と副防止弁との間に球を遊技領域に向けて下方に排出する球排出空間とを備えたことを特徴とするパチンコ機の遊技盤。
【発明の詳細な説明】
【技術分野】
【０００１】
本発明は、球が球発射通路から球戻り防止弁を押し開けて遊技領域に適切に発射できる遊技盤に関する。
【背景技術】
【０００２】
図１２は、パチンコ機の正面を示す。図１２において、パチンコ機の遊技機枠１が、遊技店の島と呼ばれる図外の遊技機設置構造体に取り付けるための外枠と呼ばれる固定枠２の前側に、可動枠３を左側に位置するヒンジ４で前側の横方向に片開き可能に備え、可動枠３の前側にパネル枠５および球皿構造体６を左側に位置するヒンジ７で前側の横方向に片開き可能に備え、パネル枠５に前後方向への貫通孔として形成された窓８を塞ぐために、光を透過する性質の有る無色なガラスまたは合成樹脂からなる前面パネル９がパネル枠５の裏面に装着され、球皿構造体６の前面に球受皿部１０と球発射操作機構１１とを備え、可動枠３に球発射機構１２を球皿構造体６の裏側に位置して備える。遊技主体としての遊技盤１５が、遊技盤１５の前面に、内ガイドレール１６の左側部と外ガイドレール１７の左側部との間の隙間として形成された球発射通路１８を備え、内ガイドレール１６と外ガイドレール１７とで囲まれた内側の遊技領域１９に、一般入賞部品２０、始動入賞部品２１、可変入賞部品２２、飾り部品２３、風車２４、球戻り防止弁２５、球反発体２６、アウト口２７、図外の遊技釘を備え、遊技盤１５の裏面に、画像表示装置２８を、飾り部品２３の裏側に位置して備える。そして、遊技盤１５がパネル枠５や前面パネル９の裏側に位置するように可動枠３に装着され、可動枠３の裏面または遊技盤１５の裏面に設けられた図外の制御装置が電力供給で起動した状態において、遊技者が球皿構造体６の球受皿部１０に球を入れて球発射操作機構１１を操作すると、制御装置が球発射機構１２を球発射操作機構１１から出力された操作量に応じた発射力で例えば１分間に１から１００発未満までの所定数の間隔で駆動し、球発射機構１２が球受皿部１０から球発射機構１２における図外の球発射レールに供給された球を１個ずつ遊技盤１５の球発射通路１８に向けて発射する。この球発射通路１８に発射された球が、球発射通路１８から球戻り防止弁２５を押し開けて遊技領域１９に到達した後に遊技領域１９を流下する過程において、一般入賞部品２０、始動入賞部品２１、可変入賞部品２２などのいずれかの入賞部品に入賞し、それぞれの入賞に対応する賞球としての球が、可動枠３の裏面に設けられた図外の球払出機構から球受皿部１０に払い出される。一般入賞部品２０、始動入賞部品２１、可変入賞部品２２に入賞した球は、遊技盤１５の裏側に排出される。一般入賞部品２０、始動入賞部品２１、可変入賞部品２２などの入賞部品に入賞しないで遊技領域１９の最下部に流れた球は、アウト口２７から遊技盤１５の裏側に排出される。遊技盤１５の裏側に排出された遊技の終了した球として遊技機設置構造体に設けられた捕球機構に排出される。しかしながら、図１３に示すように、球発射機構１２から発射された球Ｐ１が矢印Ｘ１で示す方向に球戻り防止弁２５を押し開けて球発射通路１８から遊技領域１９に出ようとする時点において、当該球Ｐ１よりも前の時点で球戻り防止弁２５を押し開けて遊技領域１９に発射された球Ｐ２が、遊技領域１９から球発射通路１８の側に跳ね返されて球Ｐ１または球戻り防止弁２５に矢印Ｘ２で示す方向から衝突することがある。このように、球Ｐ２が球Ｐ１または球戻り防止弁２５に衝突すると、上記球戻り防止弁２５を押し開けて球発射通路１８から遊技領域１９に出ようとする球Ｐ１が、球戻り防止弁２５を遊技領域１９の側に押し開けることなく、球発射通路１８を矢印Ｘ３で示す下方に向けて落下するという欠点がある。
【特許文献１】特開２００３−１１７１０７号公報
【特許文献２】特開２００３−３３４８４号公報
【発明の開示】
【発明が解決しようとする課題】
【０００３】
発明が解決しようとする問題点は、球が球発射通路から球戻り防止弁を押し開けて遊技領域に発射されないことがあるという点である。
【課題を解決するための手段】
【０００４】
本発明に係るパチンコ機の遊技盤は、遊技盤の前面に、内ガイドレールと外ガイドレールとで囲まれた内側の遊技領域と、内ガイドレールと外ガイドレールとの間の隙間として形成された球発射通路と、球発射通路から遊技領域に向けて発射される球により押し開けられた後に弾性で球発射通路を塞ぐように戻る球戻り防止弁と、球戻り防止弁を押し開けて通過した球により押し開けられた後に弾性で外ガイドレールの側に戻ることによって遊技領域から球戻り防止弁の側に跳ね返された球を遊技領域の側に跳ね返す副防止弁と、球戻り防止弁と副防止弁との間に球を遊技領域に向けて下方に排出する球排出空間とを備えたことを最も主要な特徴とする。
【発明の効果】
【０００５】
本発明に係るパチンコ機の遊技盤は、球が球戻り防止弁を球発射通路から遊技領域の側に押し開けて発射された場合、当該球よりも前の時点に副防止弁を通過して遊技領域に発射された球が遊技領域から球戻り防止弁の側に跳ね返されて上記球戻り防止弁を押し開けている球または球戻り防止弁に衝突しても、当該球戻り防止弁を押し開けている球が球発射通路に取り込まれることがなく球排出空間から遊技領域に排出されるので、球戻り防止弁を押し開けている球が球発射通路を下方に向けて落下するという不都合を解消できるという利点がある。
【発明を実施するための最良の形態】
【０００６】
図１乃至図６は、発明を実施するための最良の形態である。図１はパチンコ機の正面を示す。図２は、遊技盤１５における球戻り防止弁２５と副防止弁３１と配置構造の正面を示す。図３および図４は、球戻り防止弁２５と副防止弁３１との作用を示す。図５は、取付台４５と弁体４６とを分解して裏側から示す。図６は、取付台４５と弁体４６が遊技盤１５に取り付けられた構造の断面を示す。
【０００７】
図１を参照し、パチンコ機について説明する。パチンコ機の遊技機枠１が、固定枠２、可動枠３、ヒンジ４、パネル枠５、球皿構造体６、ヒンジ７、窓８、前面パネル９、球受皿部１０、球発射操作機構１１、球発射機構１２を備え、遊技盤１５が、内ガイドレール１６、外ガイドレール１７、球発射通路１８、遊技領域１９、一般入賞部品２０、始動入賞部品２１、可変入賞部品２２、飾り部品２３、風車２４、球戻り防止弁２５、球反発体２６、アウト口２７、画像表示装置２８、図外の遊技釘などを備えた事項は、従来例と同じであるが、遊技盤１５において、球戻り防止弁２５に類似する副防止弁３１が、球戻り防止弁２５から外ガイドレール１７に沿って遊技領域１９の側に球戻り防止弁２５と副防止弁３１との間に球排出空間３２を存在させて、遊技領域１９に設けられた特徴を有する。
【０００８】
図２を参照し、球戻り防止弁２５と副防止弁３１とが遊技盤１５に設けられた構造について説明する。球戻り防止弁２５が球発射通路１８の球出口に配置され、副防止弁３１が遊技領域１９に配置される。球戻り防止弁２５は取付台３４と弁体３５とを備え、弁体３５の一端部が取付台３４に支持され、弁体３５の他端部が取付台３４から突出し、取付台３４が内ガイドレール１６の端部に沿い遊技領域１９に配置されて２本の釘３６によって遊技盤１５に取り付けられる。弁体３５は、内ガイドレール１６や外ガイドレール１７よりも厚さの薄い薄帯状のステンレスまたは合成樹脂からなる弾性部材からなる板ばねである。そして、取付台３４が遊技盤１５に取り付けられた場合、弁体３５の取付台３４から突出した他端部が、内ガイドレール１６から球発射通路１８の球出口を塞ぎ、取付台３４から外ガイドレール１７の方向に行くに従い、球発射通路１８の球出口から外ガイドレール１７に沿う遊技領域１９の側に徐々に傾斜した格好になる。弁体３５の他端部における先端は、外ガイドレール１７の遊技領域１９の側に位置する内側面に接触するかまたは接触する程度に近づいていればよい。この接触する程度は、弁体３５の先端と外ガイドレール１７の内側面との間に１個の球の直径よりも小さい隙間が存在し、遊技領域１９から外ガイドレール１７の内側面に沿って球発射通路１８の側に逆行する球が、弁体３５の先端と外ガイドレール１７の内側面との間に引っかかることもなく通過することもできない範囲であればよい。
【０００９】
副防止弁３１は、取付台３８と弁体３９とを備え、弁体３９の一端部が取付台３８に支持され、弁体３９の他端部が取付台３８から突出し、取付台３８が、一点鎖線Ｌ１に沿い、弁体３５との間に球排出空間３２を存在させ、遊技領域１９に配置されて２本の釘４０によって遊技盤１５に取り付けられる。一点鎖線Ｌ１は、球発射通路１８から外ガイドレール１７に接触しながら弁体３５を押し開けて遊技領域１９の側に移動する１個の球Ｐにおける遊技領域１９の側の外周面を連続的に模写したことを仮想した場合の線である。一点鎖線Ｌ１と取付台３８の外ガイドレール１７の側に位置する面との間には、１個の球Ｐの直径よりも大きいが１個の球Ｐの直径の２倍よりも小さい寸法の間隔が存在する。最良の形態の場合、外ガイドレール１７と取付台３８との間の寸法Ｈ１は、球発射通路１８の球出口における内ガイドレール１６と外ガイドレール１７と間の寸法Ｈ２と同じ寸法に設定される（Ｈ１＝Ｈ２）。弁体３９は、内ガイドレール１６や外ガイドレール１７よりも厚さの薄い薄帯状のステンレスまたは合成樹脂からなる弾性部材からなる板ばねである。
【００１０】
そして、取付台３８が遊技盤１５に取り付けられた場合、弁体３９の取付台３８から突出した他端部が、球発射通路１８から外ガイドレール１７に接触しながら弁体３５を押し開けて遊技領域１９の側に移動する球Ｐの通路４１を塞ぎ、外ガイドレール１７の方向に行くに従い、通路４１から外ガイドレール１７に沿う遊技領域１９の側に徐々に傾斜した格好になる。弁体３９の他端部における先端は、外ガイドレール１７の遊技領域１９の側に位置する内側面に接触するかまたは接触する程度に近づいていればよい。この接触する程度は、弁体３９の先端と外ガイドレール１７の内側面との間に１個の球Ｐの直径よりも小さい隙間が存在し、遊技領域１９から外ガイドレール１７の内側面に沿って通路４１の側に逆行する球が、弁体３９の先端と外ガイドレール１７の内側面との間に引っかかることもなく通過することもできない範囲であればよい。この最良の形態の場合、取付台３４と取付台３８として同じものを２個使用し、弁体３５と弁体３９として同じものを２個使用する。球戻り防止弁２５と副防止弁３１との間に形成された球排出空間３２において、球戻り防止弁２５における実線示位置の弁体３５と、副防止弁３１における取付台３８との間における最も狭い間隔Ｈ３は、１個の球Ｐの直径よりも大きいが１個の球Ｐにおける直径の２倍よりも小さい寸法であって、１個の球Ｐにおける直径の１．５倍が好ましい。
【００１１】
そして、球発射機構１２から発射された球Ｐが、球発射通路１８を遊技領域１９の側へと矢印Ｘ１で示す上方に向けて移動し、球戻り防止弁２５の弁体３５を球発射通路１８から遊技領域１９の側に押し開けると、弁体３５の取付台３４より突出した他端部が取付台３４に支持された部分を作用点４２として仮想線で示す弁体３５の側へと下方に撓む。そして、球Ｐが弁体３５の先端を球発射通路１８から遊技領域１９の側に通過する過程において、作用点４２を中心として仮想線で示す位置まで球Ｐで押し開けられた後、球Ｐの通過に伴い、弁体３５が自身の弾性により仮想線で示す位置から実線で示す位置に戻る。この弁体３５を通過し弁体３５から解放された球Ｐは、さらに矢印Ｘ１で示す上方に移動し、副防止弁３１の弁体３９を球発射通路１８から遊技領域１９の側に押し開ける。これによって、弁体３９の取付台３８より突出した他端部が取付台３８に支持された部分を作用点４３として仮想線で示す弁体３９の側へと下方に撓む。そして、球Ｐが弁体３９の先端を球発射通路１８から遊技領域１９の側に通過する過程において、作用点４３を中心として仮想線で示す位置まで球Ｐで押し開けられた後、球Ｐの通過に伴い、弁体３９が自身の弾性により仮想線で示す位置から実線で示す位置に戻る。一点鎖線Ｌ２は、弁体３５が作用点４２を中心として実線で示す位置と仮想線で示す位置とに変化する軌跡である。一点鎖線Ｌ３は、弁体３９が作用点４３を中心として実線で示す位置と仮想線で示す位置とに変化する軌跡である。
【００１２】
図３および図４を参照し、球戻り防止弁２５と副防止弁３１との作用について説明する。図３に示すように、球発射機構１２から発射された球Ｐ１が弁体３５を球発射通路１８から通路４１の側に押し開け、この押し開けられた弁体３５の先端が一点鎖線Ｌ１に交差する位置に到達した時点において、当該球Ｐ１よりも前の時点に副防止弁３１を通過して遊技領域１９に発射された球Ｐ２が矢印Ｘ２で示す遊技領域１９から通路４１の側に跳ね返されたとしても、副防止弁３１の弁体３９が閉じているので、当該球Ｐ２は副防止弁３１の弁体３９に衝突する。よって、球Ｐ２が、弁体３５を最大開度に押し開けている球Ｐ１に衝突することもなく、球Ｐ１で最大開度に押し開けられている弁体３５に衝突することもないので、球戻り防止弁２５を押し開けて球発射通路１８から遊技領域１９の側に出ようとする球Ｐ１は、球戻り防止弁２５を遊技領域１９の側に押し開けて通路４１を経由して遊技領域１９に適切に発射されるという利点があり、球Ｐ１が球発射通路１８を下方に向けて落下するという不都合を解消できる。
【００１３】
図４に示すように、球発射機構１２から発射された球Ｐ１が球戻り防止弁２５を通路４１の側に通過して弁体３９を通路４１から遊技領域１９の側に押し開け、この押し開けられた弁体３９の先端が一点鎖線Ｌ１に交差する位置に到達した時点において、当該球Ｐ１よりも前の時点に副防止弁３１を通過して遊技領域１９に発射された球Ｐ２が矢印Ｘ２で示す遊技領域１９から通路４１の側に跳ね返されて球Ｐ１または弁体３９に衝突すると、上記副防止弁３１の弁体３９を押し開けて通路４１から遊技領域１９に出ようとする球Ｐ１が、弁体３９を遊技領域１９の側に押し開けることなく、通路４１を球発射通路１８の側に押し戻される。しかしながら、球戻り防止弁２５の弁体３５が閉じており、球戻り防止弁２５と副防止弁３１との間に球排出空間３２が存在している。よって、通路４１を球発射通路１８の側に押し戻された球Ｐ１は、球発射通路１８に取り込まれることなく、矢印Ｘ３で示す経路で球排出空間３２から遊技領域１９に適切に排出されるという利点があり、球Ｐ１が球発射通路１８を下方に向けて落下するという不都合を解消できる。
【００１４】
要するに、球発射機構１２から発射された球Ｐ１が球戻り防止弁２５を球発射通路１８から遊技領域１９の側に押し開けて通路４１および遊技領域１９に発射された場合、当該球Ｐ１よりも前の時点に副防止弁３１を通過して遊技領域１９に発射された球Ｐ２が矢印Ｘ２で示す遊技領域１９から球戻り防止弁２５の側に跳ね返されて球Ｐ１または弁体３９に衝突しても、球Ｐ１が球発射通路１８に取り込まれることがなく球排出空間３２から下方の遊技領域１９に排出されるので、球Ｐ１が球発射通路１８を下方に向けて落下する不都合を解消できるという利点がある。
【００１５】
図５を参照し、球戻り防止弁２５の取付台３４や副防止弁３１の取付台３８に相当する取付台４５、球戻り防止弁２５の弁体３５や副防止弁３１の弁体３９に相当する弁体４６の構造について説明する。取付台４５の一側部には延設部４７が設けられ、延設部４７と取付台４５との釘３６または釘４０に相当する釘４８の胴体を挿入するための挿入孔４９が延設部４７および取付台４５の前面Ａと裏面Ｂとに貫通した貫通孔として形成される。取付台４５には、弁挿入溝５０と弁支持溝５１とが、取付台４５の裏面Ｂから内部に窪み、取付台４５の前面Ａの側に行き止まりとなった形状に形成される。弁挿入溝５０と弁支持溝５１とは、互いにつながっている。弁挿入溝５０は、取付台４５における延設部４７の側に位置する面に開口する。弁支持溝５１の溝幅Ｔ１は、弁挿入溝５０の溝幅Ｔ２よりも大きい。弁支持溝５１は、取付台４５を裏側から見た場合、円形な窪みである。弁挿入溝５０および弁支持溝５１における取付台４５の裏面Ｂからの深さＨ４は、弁体４６のカール部５２および直線部５３の高さＨ５よりも大きい。
【００１６】
弁体４６は、カール部５２を備える。カール部５２は、弁体４６における薄帯状の長手方向の一端部が外側から内側に向けて円形に曲げられた形状である。カール部５２の外径Ｔ３は、カール部５２を弁支持溝５１に締まり嵌めに挿入し得るように、弁支持溝５１の溝幅Ｔ１よりも大きい。弁体４６におけるカール部５２から薄帯状の長手方向の中間部までは直線部５３である。弁体４６における直線部５３から薄帯状の長手方向の他端部までは、直線部５３から一側方に折り曲げられた傾斜部５４である。直線部５３の厚さＴ４は、直線部５３を弁挿入溝５０に遊び嵌めに挿入し得るように、弁挿入溝５０の溝幅Ｔ２よりも小さい。カール部５２における内側に向けて曲げられた端部は、直線部５３から離れている。そして、弁体４６における直線部５３が弁体４６の裏側から弁挿入溝５０に挿入されて突き当てられ、カール部５２が弁体４６の裏側から弁支持溝５１に押し込まれると、カール部５２の外径Ｔ３が少し小さくなるように、カール部５２が撓み、その復元しようとする弾性によって、カール部５２の外側面が弁支持溝５１の内側面に径方向に突っ張ることによって、カール部５２が弁支持溝５１に圧入されて突き当てられて支持され、弁体４６が取付台４５に取り付けられ、傾斜部５４が取付台４５から延設部４７の側に突出する。これによって、取付台４５と弁体４６とが、図２に示す球戻り防止弁２５や副防止弁３１を構成する。
【００１７】
図６を参照し、弁体４６の装着された取付台４５が遊技盤１５に取り付けられた構造について説明する。延設部４７および取付台４５の裏面Ｂが遊技盤１５の遊技領域１９に接触し、取付台４５が釘４８で取り付けられると、弁体４６は、遊技領域１９より離れるので、球が弁体４６を円滑に押し開けることができ、押し開けられた弁体４６が自身の弾性で元に位置に円滑に戻ることができるという利点がある。
【産業上の利用可能性】
【００１８】
図７は、別の形態に係る遊技盤１５における球戻り防止弁２５と副防止弁３１と配置構造の正面を示す。図７において、副防止弁３１の取付台３８が、球戻り防止弁２５の取付台３４の側に近づけられて遊技盤１５に取り付けられ、球発射機構１２から発射された球Ｐの矢印Ｘ１で示す発射方向における球戻り防止弁２５の弁体３５と副防止弁３１の弁体３９との間が狭められ、弁体３９を通過した後の遊技領域１９が広くできるという利点がある。矢印Ｘ１で示す発射方向に対する取付台３８の傾斜角度は、図２に示した場合よりも大きいが、仮想線で示す弁体３５と取付台３８との間には、通路４１から球Ｐ１を遊技領域１９に向けて下方に排出するための球排出空間３２が形成される。
【００１９】
図８および図９は、別の形態である。図８のａ図は、取付台５６を裏側から示す。図８のｂ図は、取付台５６を前側から示す。図９は、取付台５６が遊技盤１５に取り付けられた構造を示す。図８のａ図およびｂ図に示すように、取付台５６は、取付台３４；３８が球排出空間３２を存在させて連結片５７で２個連結された構造である。連結片５７は、取付台３４の裏面Ｂと取付台３８の裏面Ｂとの側に配置され、球が球排出空間３２を通過するのを邪魔しない厚さである。連結片５７には、取付台３４の弁挿入溝５０につながる逃溝５８が形成されているので、図２に示す弁体３５を取付台３４の裏側から弁挿入溝５０に適切に挿入することができるという利点がある。そして、取付台３４；３８が連結されたので、挿入孔４９は、取付台３４；３８のそれぞれに２個ずつ形成してもよいが、１個ずつ形成し、図９に示すように、取付台５６が遊技盤１５に取り付けられる場合、釘３６；４０の使用本数を減らすことができるという利点がある。
【００２０】
図１０および図１１は、別の形態である。図１０は、取付台５６を前側から示す。図１１は、取付台５６が遊技盤１５に取り付けられた構造を示す。図１０において、取付台３４；３８を２個連結する連結片５７が、取付台３４の前面Ａと取付台３８の前面Ａとの側に配置され、連結片５７に図８の逃溝５８を設けない構造である。図１１に示すように、取付台５６の裏面Ｂが遊技領域１９に接触し、取付台５６が遊技盤１５に取り付けられたことによって、連結片５７と遊技領域１９との間には、球が球排出空間３２を通過するのを邪魔しない寸法になっている。
【００２１】
図２において、取付台３８は、外ガイドレール１７との間に球の通過可能な隙間が存在する範囲で、一点鎖線Ｌ１の側に近づけて配置してもよい。弁体３５と弁体３９とに、同じものを２個使用したが、厚さや材質ならびに取付台３８から突出した薄帯状の長手方向の長さの異なるものを使用してもよい。図１において、球排出空間３２から遊技領域１９に排出される球を、球排出空間３２から遊技領域１９の中央の側に誘導するように、遊技領域１９に釘を設けたり、図２の取付台３４に上記誘導するための部分を設けたりしてもよい。また、人が、図１の球発射操作機構１１を球を発射しようと操作し、その操作量が最小であっても、球発射機構１２から発射された球が、球戻り防止弁２５を押し開けて副防止弁３１の側に通過するか、または、球戻り防止弁２５と副防止弁３１とを押し開けて遊技領域１９に到達するように、球発射機構１２の発射力が設定されていれば、球発射通路１８を落下した球を遊技者に戻るように処理するためのファール球処理機構を、遊技機枠１に設ける必要が無いので、遊技機枠１を簡素な構造として、コストダウンを図ることができる。
【図面の簡単な説明】
【００２２】
【図１】パチンコ機の正面図（最良の形態）。
【図２】遊技盤の球戻り防止弁と副防止弁との配置を示す正面図（最良の形態）。
【図３】球戻り防止弁と副防止弁との作用を示す正面図（最良の形態）。
【図４】球戻り防止弁と副防止弁との作用を示す正面図（最良の形態）。
【図５】取付台と弁体とを裏側から示す分解斜視図（最良の形態）。
【図６】取付台と弁体との遊技盤への取付構造を示す断面図（最良の形態）。
【図７】遊技盤の球戻り防止弁と副防止弁との配置を示す正面図（別の形態）。
【図８】ａ図は取付台を裏側から示す斜視図、ｂ図は取付台を前側から示す斜視図（別の形態）。
【図９】取付台と弁体との遊技盤への取付構造を示す断面図（別の形態）。
【図１０】取付台を前側から示す斜視図（別の形態）。
【図１１】取付台と弁体との遊技盤への取付構造を示す断面図（別の形態）。
【図１２】パチンコ機の正面図（従来）。
【図１３】球戻り防止弁の作用を示す正面図（従来）。
【符号の説明】
【００２３】
１５  遊技盤
１６  内ガイドレール
１７  外ガイドレール
１８  球発射通路
１９  遊技領域
２５  球戻り防止弁
３１  副防止弁
３２  球排出空間
【図１】
2006122559.tif 000003
【図２】
2006122559.tif 000004
【図３】
2006122559.tif 000005
【図４】
2006122559.tif 000006
【図５】
2006122559.tif 000007
【図６】
2006122559.tif 000008
【図７】
2006122559.tif 000009
【図８】
2006122559.tif 000010
【図９】
2006122559.tif 000011
【図１０】
2006122559.tif 000012
【図１１】
2006122559.tif 000013
【図１２】
2006122559.tif 000014
【図１３】
2006122559.tif 000015